(57)【要約】【課題】本発明は簡単に表示装置の表示を変換して新台に入れ替えたと同様な効果が得られる、経済的に使用することができるとともに、新台に入れ替えることを考えると非常に安価に使用することができるパチンコ機等の遊戯装置およびその表示装置を得るにある。【解決手段】ベース板に透孔を形成し、該透孔を介して前面より見える部位に表示装置を備えたパチンコ機等の遊戯装置において、前記表示装置を前記ベース板の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると、該透孔を介して見ることができるように取付けられた、前記スロット装置とは異なる第２のスロット装置と、前記回転体をあらかじめ設定された部位に回転させる回転装置とでパチンコ機等の遊戯装置を構成している。【選択図】  図４
2004188159.tif 000002
【特許請求の範囲】
【請求項１】
ベース板に透孔を形成し、該透孔を介して前面より見える部位に表示装置を備えたパチンコ機等の遊戯装置において、前記表示装置を前記ベース板の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると、該透孔を介して見ることができるように取付けられた、前記スロット装置とは異なる第２のスロット装置と、前記回転体をあらかじめ設定された部位に回転させる回転装置とで構成したことを特徴とするパチンコ機等の遊戯装置。
【請求項２】
ベース板に透孔を形成し、該透孔を介して前面より見える部位に表示装置を備えたパチンコ機等の遊戯装置において、前記表示装置を前記ベース板の裏面に回転可能に取付けられた前面と裏面はほぼ前記透孔と同じ大きさで、平面や底面は前記透孔のほぼ半分の大きさの回転体と、この回転体の前面が前記透孔部に位置すると該透孔部を介して見ることができるとともに、該回転体の平面あるいは底面が前記透孔部に位置すると、該透孔部を介して一方だけが見ることができるように、該回転体の前面に取付けられた複数個の回転ドラムを備える２個のスロット装置あるいは複数個の表示ベルトを備える複数個のスロット装置と、前記回転体の平面あるいは底面が前記透孔部に位置すると該透孔部を介して見ることができるように取付けられた、前記２個のスロット装置あるいは複数個のスロット装置とは異なる第２のスロット装置と、この第２のスロット装置、前記２個のスロット装置あるいは複数個のスロット装置が取付けられた回転体を覆い、前記透孔の周縁部のベース板に取付けられたカバー体と、前記回転体をあらかじめ設定された部位に回転させる前記ベース板あるいは前記カバー体に取付けられた回転装置とで構成したことを特徴とするパチンコ機等の遊戯装置。
【請求項３】
ベース板に透孔を形成し、該透孔を介して前面より見える部位に表示装置を備えたパチンコ機等の遊戯装置において、前記表示装置を前記ベース板の裏面に回転可能に取付けられた前面と裏面はほぼ前記透孔と同じ大きさで、平面や底面は前記透孔のほぼ半分の大きさの回転体と、この回転体の前面が前記透孔部に位置すると該透孔部を介して見ることができるとともに、該回転体の平面あるいは底面が前記透孔部に位置すると、該透孔部を介して一方だけが見ることができるように、該回転体の前面に取付けられた複数個の回転ドラムを備える２個のスロット装置あるいは複数個の表示ベルトを備える複数個のスロット装置と、前記回転体の平面あるいは底面が前記透孔部に位置すると該透孔部を介して見ることができるように取付けられた、前記２個のスロット装置あるいは複数個のスロット装置とは異なる第２のスロット装置と、前記回転体の裏面が前記透孔部に位置すると、該透孔部を介して見ることができる前記２個のスロット装置あるいは複数個のスロット装置や、第２のスロット装置とは異なる第３のスロット装置と、この第３のスロット装置、前記第２のスロット装置、前記２個のスロット装置あるいは複数個のスロット装置が取付けられた回転体を覆い、前記透孔の周縁部のベース板に取付けられたカバー体と、前記回転体をあらかじめ設定された部位に回転させる前記ベース板あるいは前記カバー体に取付けられた回転装置とで構成したことを特徴とするパチンコ機等の遊戯装置。
【請求項４】
パチンコ機等の遊戯装置のベース板の透孔が形成された部位の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると該透孔を介して見ることができるように取付けられた、前記スロット装置とは異なる第２のスロット装置と、前記回転体をあらかじめ設定された部位に回転させる回転装置とで構成したことを特徴とするパチンコ機等の遊戯装置用表示装置。
【請求項５】
パチンコ機等の遊戯装置のベース板の透孔が形成された部位の裏面に回転可能に取付けられる前面と裏面はほぼ前記透孔と同じ大きさで、平面や底面は前記透孔のほぼ半分の大きさの回転体と、この回転体の前面が前記透孔部に位置すると該透孔部を介して見ることができるとともに、該回転体の平面あるいは底面が前記透孔部に位置すると、該透孔部を介して一方だけが見ることができるように、該回転体の前面に取付けられた複数個の回転ドラムを備える２個のスロット装置あるいは複数個の表示ベルトを備える複数個のスロット装置と、前記回転体の平面あるいは底面が前記透孔部に位置すると該透孔部を介して見ることができるように取付けられた、前記２個のスロット装置あるいは複数個のスロット装置とは異なる第２のスロット装置と、この第２のスロット装置、前記２個のスロット装置あるいは複数個のスロット装置が取付けられた回転体を覆い、前記透孔の周縁部のベース板に取付けられるカバー体と、前記回転体をあらかじめ設定された部位に回転させる前記カバー体に取付けられた回転装置とで構成したことを特徴とするパチンコ機等の遊戯装置用表示装置。
【請求項６】
パチンコ機等の遊戯装置のベース板の透孔が形成された部位の裏面に回転可能に取付けられる前面と裏面はほぼ前記透孔と同じ大きさで、平面や底面は前記透孔のほぼ半分の大きさの回転体と、この回転体の前面が前記透孔部に位置すると該透孔部を介して見ることができるとともに、該回転体の平面あるいは底面が前記透孔部に位置すると、該透孔部を介して一方だけが見ることができるように、該回転体の前面に取付けられた複数個の回転ドラムを備える２個のスロット装置あるいは複数個の表示ベルトを備える複数個のスロット装置と、前記回転体の平面あるいは底面が前記透孔部に位置すると、該透孔部を介して見ることができるように取付けられた、前記２個のスロット装置あるいは複数個のスロット装置とは異なる第２のスロット装置と、前記回転体の裏面が前記透孔部に位置すると、該透孔部を介して見ることができる前記２個のスロット装置あるいは複数個のスロット装置や、第２のスロット装置とは異なる第３のスロット装置と、この第３のスロット装置、前記第２のスロット装置、前記２個のスロット装置あるいは複数個のスロット装置が取付けられた回転体を覆い、前記透孔の周縁部のベース板に取付けられるカバー体と、前記回転体をあらかじめ設定された部位に回転させる前記カバー体に取付けられた回転装置とで構成したことを特徴とするパチンコ機等の遊戯装置用表示装置。
【発明の詳細な説明】
【０００１】
【発明の属する技術分野】
本発明はパチンコ機やスロットマシン等の遊戯装置およびその表示装置に関する。
【０００２】
【従来の技術】
従来のこの種の遊戯装置は、複数個の回転ドラムを備えるスロット装置を表示装置として、ベース板の透孔部位に設置されている。
【０００３】
【発明が解決しようとする課題】
従来の遊戯装置の表示装置は、ベース板に透孔を形成し、該透孔よりスロット装置の複数個の回転ドラムが見えるように取付けられているので、異なるデザインや形状の表示装置に、簡単に変換して使用することができないという欠点があった。
このため、遊戯者に飽きられないように短期間に表示装置やベース板等のデザインが異なる新台に入れ替えしなければならず、コスト高になるとともに、経済的に使用することができないという欠点があった。
【０００４】
本発明は以上のような従来の欠点に鑑み、簡単に表示装置の表示を変換して新台に入れ替えたと同様な効果が得られる、経済的に使用することができるとともに、新台に入れ替えることを考えると非常に安価に使用することができるパチンコ機等の遊戯装置およびその表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はベース板に透孔を形成し、該透孔を介して前面より見える部位に表示装置を備えたパチンコ機等の遊戯装置において、前記表示装置を前記ベース板の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると、該透孔を介して見ることができるように取付けられた、前記スロット装置とは異なる第２のスロット装置と、前記回転体をあらかじめ設定された部位に回転させる回転装置とでパチンコ機等の遊戯装置を構成している。
【０００７】
また、本発明はパチンコ機等の遊戯装置のベース板の透孔が形成された部位の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると、該透孔を介して見ることができるように取付けられた、前記スロット装置とは異なる第２のスロット装置と、前記回転体をあらかじめ設定された部位に回転させる回転装置とでパチンコ機等の遊戯装置用表示装置を構成している。
【０００８】
【発明の実施の形態】
以下、図面に示す実施の形態により、本発明を詳細に説明する。
【０００９】
図１ないし図８に示す本発明の第１の実施の形態において、１はパチンコ機として使用される本発明の遊戯装置で、この遊戯装置１はベース板２に形成された透孔３部より見えるように設置された表示装置４以外は、従来のパチンコ機と同様の構成が使用されている。
【００１０】
前記表示装置４は前記ベース板２の透孔３部位の裏面に固定された一対の軸受部材５、５の軸受孔６、６に回転可能に支持された、前面と裏面の大きさがほぼ該透孔３の大きさと同じ大きさで、平面および底面の大きさがほぼ透孔３の半分の大きさに形成された回転体７と、この回転体７の前面が前記透孔３部に位置すると該透孔３部を介して見ることができるとともに、該回転体７の平面あるいは底面が前記透孔３部に位置すると該透孔３部を介して一方だけを見ることができるように、該回転体７の前面に取付けられた複数個、本発明の実施の形態では３個の回転ドラム８、８Ａ、８Ｂを備える２個のスロット装置９、９Ａと、前記回転体７の平面あるいは底面、本発明の実施の形態では平面が前記透孔３部に位置すると該透孔３部および回転体７の平面の開口部１０を介して見ることができるように、該回転体７に取付けられた前記２個のスロット装置９、９Ａとは異なる１個の回転ドラム８Ｃを有する第２のスロット装置１１と、前記回転体７が前記透孔３部に位置すると該透孔３部を介して見ることができるできるように、該回転体７の裏面に取付けられた前記２個のスロット装置９、９Ａおよび前記第２のスロット装置１１とは異なる１個の回転ドラム８Ｄを有する第３のスロット装置１２と、この第３のスロット装置１２、前記２個のスロット装置９、９Ａおよび前記第２のスロット装置１１が取付けられた、前記回転体７を覆うように前記透孔３の周縁部のベース板２に取付けられたカバー体１３と、前記回転体７をあらかじめ設定された部位、本発明の実施の形態では１回の駆動で９０゜回転させる前記ベース板２あるいはカバー体１３、本発明の実施の形態ではカバー体１３に取付けられたステッピングモータを用いた回転装置１４とで構成されている。
【００１１】
前記２個のスロット装置９、９Ａ、前記第２のスロット装置１１および前記第３のスロット装置１２は、従来から使用されているものと同様に、信号の入力によって回転ドラムがそれぞれ回転し、所定量回転すると電子制御によって停止するものが使用されている。
【００１２】
上記構成の遊戯装置１はベース板２の透孔３より、図１に示すように表示装置４の２個のスロット装置９、９Ａが見えるように位置させて使用することができる。
【００１３】
ステッピングモータを用いた回転装置１４を１回駆動させると、回転体７が９０゜回転し、図７に示すようにベース板２の透孔３より、第２のスロット装置１１とスロット装置９Ａとが見えるように位置させて使用することができる。
【００１４】
ステッピングモータを用いた回転装置１４を１回駆動させると、回転体７が９０゜回転し、図８に示すようにベース板２の透孔３より、第３のスロット装置１２が見えるように位置させて使用することができる。
【００１５】
したがって、上記構成の遊戯装置１は表示装置４によって、３個の異なる表示状態として使用することができる。
【００１６】
【発明の異なる実施の形態】
次に、図９ないし図２７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図９ないし図１２に示す本発明の第２の実施の形態において、前記本発明の第１の実施の形態と主に異なる点は、回転体７の底面の開口部１０Ａを介して見ることができるように第２のスロット装置１１を取付けるとともに、回転体７の平面および底面の色あるいは模様が異なるようにした表示装置４Ａを用いた点で、このような表示装置４Ａを用いて構成した遊戯装置１Ａにしても、前記本発明の第１の実施の形態と同様な作用効果が得られる。
なお、本発明の実施の形態では２個のスロット装置９、９Ａおよび第２のスロット装置１１は反転状態でも同じ状態になる模様や、正・逆の数字が記入された回転ドラム８、８Ａ、８Ｂ、８Ｃを用いるとよい。
【００１８】
図１３および図１４に示す本発明の第３の実施の形態において、前記本発明の第１の実施の形態と主に異なる点は、第３のスロット装置を用いない表示装置４Ｂを用いた点で、このような表示装置４Ｂを用いた遊戯装置１Ｂにしても、前記本発明の第１の実施の形態と同様な作用効果が得られる。
【００１９】
図１５および図１６に示す本発明の第４の実施の形態において、前記本発明の第１の実施の形態と主に異なる点は、第２のスロット装置を用いない表示装置４Ｃを用いた点で、このような表示装置４Ｃを用いて構成した遊戯装置１Ｃにしても、前記本発明の第１の実施の形態と同様な作用効果が得られる。
【００２０】
図１７ないし図１９に示す本発明の第５の実施の形態において、前記本発明の第１の実施の形態と主に異なる点は、デジタル表示する第３のスロット装置１２Ａを使用した表示装置４Ｄを用いた点で、このような表示装置４Ｄを用いて構成した遊戯装置１Ｄにしても、前記本発明の第１の実施の形態と同様な作用効果が得られる。
【００２１】
図２０ないし図２２に示す本発明の第６の実施の形態において、前記本発明の第１の実施の形態と主に異なる点は、デジタル表示する第２のスロット装置１１Ａを使用した表示装置４Ｅを用いた点で、このような表示装置４Ｅを用いて構成した遊戯装置１Ｅにしても、前記本発明の第１の実施の形態と同様な作用効果が得られる。
【００２２】
図２３ないし図２７に示す本発明の第７の実施の形態において、前記本発明の第１の実施の形態と主に異なる点は、２個のスロット装置に代え信号の入力によって回転し、所定量回転すると電子制御によって停止するパルスモータ等のモータ１５で駆動されるように回転体７の前面に取付けられた駆動ドラム１６と、この駆動ドラム１６の下部位置の回転体７に回転可能に取付けられた従動ドラム１７と、この従動ドラム１７と前記駆動ドラム１６にかけ渡された、多数の表示１８が付されたタイミングベルト等の位置決めが可能な表示ベルト１９とからなる３個のスロット装置９Ｂ、９Ｂ、９Ｂを用いた点で、このような３個のスロット装置９Ｂ、９Ｂ、９Ｂを使用する表示装置４Ｆを用いて構成した遊戯装置１Ｆにしても、前記本発明の第１の実施の形態と同様な作用効果が得られるとともに、狭い幅寸法で横方向、左右の斜め方向の３種類の表示がそろうかどうかを設定することができる。
【００２３】
本発明の実施の形態では３個のスロット装置９Ｂ、９Ｂ、９Ｂを用いるものについて説明したが、本発明はこれに限らず、２個あるいは４個以上のスロット装置を並列させたものを用いてもよい。
また、本発明の実施の形態の３個のスロット装置９Ｂ、９Ｂ、９Ｂは、前記第２、第３、第４、第５、第６の実施の形態の２個のスロット装置９、９Ａに代えて使用してもよい。
【００２４】
なお、前記本発明の各実施の形態では、パチンコ機として使用される遊戯装置１、１Ａ、１Ｂ、１Ｃ、１Ｄ、１Ｅについて説明したが、本発明はこれに限らず、スロットマシン等の遊戯装置にも同様に使用することができる。
【００２５】
【発明の効果】
以上の説明から明らかなように、本発明にあっては次に列挙する効果が得られる。
【００２６】
（１）ベース板に透孔を形成し、該透孔を介して前面より見える部位に表示装置を備えたパチンコ機等の遊戯装置において、前記表示装置を前記ベース板の裏面に回転可能に取付けられた回転体と、この回転体の前面が前記透孔部に位置すると、該透孔部を介して見ることができるように取付けられた複数個の回転ドラムあるいは複数個の表示ベルトを備えるスロット装置と、前記回転体の裏面、平面あるいは底面のいずれかが前記透孔に位置すると、該透孔を介して見ることができるように取付けられた、前記スロット装置とは異なる第２のスロット装置と、前記回転体をあらかじめ設定された部位に回転させる回転装置とで構成されているので、表示装置を異なる表示にかえることができる。
したがって、新台に入れ替えたと同様の効果が得られ、経済的に使用することができる。
【００２７】
（２）前記（１）によって、表示装置の回転体を回転させるだけで、表示をかえることができる。
したがって、表示をかえる作業が容易で、短時間に行なうことができる。
【００２８】
（３）前記（１）によって、新台に入れ替える場合と比べ、非常に安価で、長期間使用することができる。
【００２９】
（４）前記（１）によって、ベース板の透孔部位に取付けるため、表示装置以外の部分は改造する必要がなく、容易に製造することができる。
【００３０】
（５）請求項２〜６も前記（１）〜（４）と同様な効果が得られる。
【図面の簡単な説明】
【図１】本発明の第１の実施の形態の遊戯装置の正面図。
【図２】本発明の第１の実施の形態の遊戯装置の側面図。
【図３】本発明の第１の実施の形態の要部背面図。
【図４】２個のスロット装置を前方に位置させた表示装置の斜視図。
【図５】第２のスロット装置を前方に位置させた表示装置の斜視図。
【図６】第３のスロット装置を前方に位置させた表示装置の斜視図。
【図７】第２のスロット装置を前面に位置させた遊戯装置の正面図。
【図８】第３のスロット装置を前面に位置させた遊戯装置の正面図。
【図９】本発明の第２の実施の形態の遊戯装置の正面図。
【図１０】本発明の第２の実施の形態の回転体の背面図。
【図１１】第２のスロット装置を前面に位置させた遊戯装置の要部拡大正面図。
【図１２】第２のスロット装置を反転使用した場合の要部拡大正面図。
【図１３】本発明の第３の実施の形態の遊戯装置の正面図。
【図１４】本発明の第３の実施の形態の表示装置の斜視図。
【図１５】本発明の第４の実施の形態の遊戯装置の正面図。
【図１６】本発明の第４の実施の形態の表示装置の斜視図。
【図１７】本発明の第５の実施の形態の遊戯装置の正面図。
【図１８】第３のスロット装置を前面に位置させた遊戯装置の要部拡大正面図。
【図１９】本発明の第５の実施の形態の表示装置の斜視図。
【図２０】本発明の第６の実施の形態の遊戯装置の正面図。
【図２１】第３のスロット装置を前面に位置させた遊戯装置の要部拡大正面図。
【図２２】本発明の第６の実施の形態の表示装置の斜視図。
【図２３】本発明の第７の実施の形態の遊戯装置の正面図。
【図２４】本発明の第７の実施の形態の遊戯装置の側面図。
【図２５】本発明の第７の実施の形態の要部背面図。
【図２６】本発明の第７の実施の形態の表示装置の正面図。
【図２７】本発明の第７の実施の形態の表示装置の側面図。
【符号の説明】
１、１Ａ、１Ｂ、１Ｃ、１Ｄ、１Ｅ、１Ｆ：遊戯装置、
２：ベース板、          ３：透孔、
４、４Ａ、４Ｂ、４Ｃ、４Ｄ、４Ｅ、４Ｆ：表示装置、
５：軸受部材、          ６：軸受孔、
７：回転体、
８、８Ａ、８Ｂ、８Ｃ、８Ｄ：回転ドラム、
９、９Ａ、９Ｂ：スロット装置、
１０、１０Ａ：開口部、
１１、１１Ａ：第２のスロット装置、
１２、１２Ａ：第３のスロット装置、
１３：カバー体、        １４：回転装置、
１５：モータ、          １６：駆動ドラム、
１７：従動ドラム、      １８：表示、
１９：：表示ドラム。
【図１】
2004188159.tif 000003
【図２】
2004188159.tif 000004
【図３】
2004188159.tif 000005
【図４】
2004188159.tif 000006
【図５】
2004188159.tif 000007
【図６】
2004188159.tif 000008
【図７】
2004188159.tif 000009
【図８】
2004188159.tif 000010
【図９】
2004188159.tif 000011
【図１０】
2004188159.tif 000012
【図１１】
2004188159.tif 000013
【図１２】
2004188159.tif 000014
【図１３】
2004188159.tif 000015
【図１４】
2004188159.tif 000016
【図１５】
2004188159.tif 000017
【図１６】
2004188159.tif 000018
【図１７】
2004188159.tif 000019
【図１８】
2004188159.tif 000020
【図１９】
2004188159.tif 000021
【図２０】
2004188159.tif 000022
【図２１】
2004188159.tif 000023
【図２２】
2004188159.tif 000024
【図２３】
2004188159.tif 000025
【図２４】
2004188159.tif 000026
【図２５】
2004188159.tif 000027
【図２６】
2004188159.tif 000028
【図２７】
2004188159.tif 000029